(57)【要約】【課題】  ユーザによって入力されたコメントを従来に比して有効に活用することが可能な試料分析装置、試料の分析結果表示方法、及びコンピュータプログラムを提供する。【解決手段】  試料分析装置１は、試料の分析結果情報を生成するＣＰＵ３１ａと、画像表示部３２と、画像出力インタフェース３１ｉと、第１の分析結果画面が表示されたときに、第１の分析結果情報の少なくとも一部に付与するコメントの入力を受け付ける入力部３３と、受け付けられたコメントを記憶するハードディスク３１ｄとを備え、ＣＰＵ３１ａは、第２の分析結果情報を表示させる場合に、第２の分析結果情報に含まれる所定の情報が所定の条件に合致するか否かを判定し、画像出力インタフェース３１ｉは、前記所定の情報が前記所定の条件に合致すると判定された場合に、第２の分析結果画面と前記コメントとを画像表示部３２に表示させる。【選択図】    図４
2010038893.tif 000002
【特許請求の範囲】
【請求項１】
試料が測定された結果に基づいて試料の分析結果を取得し、前記分析結果を含む分析結果情報を生成する分析手段と、
表示部と、
前記分析手段によって生成された分析結果情報を前記表示部に表示させる表示制御手段と、
前記表示部に第１の分析結果情報が表示されたときに、当該第１の分析結果情報の少なくとも一部に付与するコメントの入力を受け付ける入力手段と、
前記入力手段によって受け付けられたコメントを記憶する記憶部と、
前記表示部に第２の分析結果情報を表示させる場合に、第２の分析結果情報に含まれる所定の情報が所定の条件に合致するか否かを判定する判定手段と、
を備え、
前記表示制御手段は、前記第２の分析結果情報に含まれる所定の情報が前記所定の条件に合致すると前記判定手段により判定された場合に、前記第２の分析結果情報と前記記憶部に記憶された前記コメントとを前記表示部に表示させるように構成されている、試料分析装置。
【請求項２】
前記分析手段は、前記試料に関して複数項目に区分された情報を含む分析結果情報を生成するように構成されており、
前記入力手段は、前記表示部に第１の分析結果情報が表示されたときに、項目の指定を受け付け、指定された項目に対応するコメントの入力を受け付けるように構成されており、
前記判定手段は、前記第１の分析結果情報における前記コメントに対応する項目の情報と、前記第２の分析結果情報における前記項目の情報とを比較し、前記第２の分析結果情報における前記項目の情報が前記所定の条件に合致するか否かを判定するように構成されており、
前記表示制御手段は、前記第２の分析結果情報における前記項目の情報が前記所定の条件に合致すると前記判定手段により判定された場合に、前記第２の分析結果情報の中の前記項目の情報に対応付けて、前記記憶部に記憶された前記コメントを前記表示部に表示させるように構成されている、請求項１に記載の試料分析装置。
【請求項３】
前記記憶部は、前記分析手段によって生成された分析結果情報を記憶し、且つ、前記入力手段によって入力されたコメントと前記第１の分析結果情報における前記コメントに対応する項目の情報とを含むコメント検索用情報を記憶するように構成されており、
前記判定手段は、前記記憶部に記憶された前記コメント検索用情報に含まれる前記コメントに対応する項目の情報と、前記第２の分析結果情報における前記項目の情報とを比較し、前記第２の分析結果情報における前記項目の情報が前記所定の条件に合致するか否かを判定するように構成されており、
前記表示制御手段は、前記第２の分析結果情報における前記項目の情報が前記所定の条件に合致すると前記判定手段により判定された場合に、前記第２の分析結果情報の中の前記項目の情報に対応付けて、前記コメント検索用情報に含まれる前記コメントを前記表示部に表示させるように構成されている、請求項２に記載の試料分析装置。
【請求項４】
前記記憶部は、前記コメント検索用情報として、コメントと、当該コメントが付与された第１の分析結果情報における前記コメントに対応する項目の情報とを、コメント毎に対応づけて記憶するように構成されており、
前記判定手段は、前記記憶部に記憶された前記コメント検索用情報に含まれるコメント毎に、コメントに対応する項目の情報と、前記第２の分析結果情報における前記項目の情報とを比較し、前記第２の分析結果情報における前記項目の情報が前記所定の条件に合致するか否かを判定するように構成されており、
前記表示制御手段は、前記第２の分析結果情報における前記項目の情報が前記所定の条件に合致すると前記判定手段により判定された全てのコメントを、前記第２の分析結果情報の中で前記コメントに対応する項目の情報に各別に対応づけて前記表示部に表示させるように構成されている、請求項３に記載の試料分析装置。
【請求項５】
前記分析手段は、粒子を含有する試料を分析して、粒子の特徴を示す特徴パラメータ情報を取得し、前記試料中の粒子の前記特徴パラメータ情報に関する分布状態を示す粒子分布図を項目として含む前記分析結果情報を生成するように構成されており、
前記判定手段は、前記コメントが付与された前記第１の分析結果情報においてコメントに対応する項目が粒子分布図である場合に、前記第１の分析結果情報に含まれる粒子分布図と、前記第２の分析結果情報に含まれる粒子分布図とを比較して、２つの粒子分布図が類似しているか否かを判定するように構成されており、
前記表示制御手段は、前記２つの粒子分布図が類似すると前記判定手段により判定された場合に、前記第２の分析結果情報の中の前記粒子分布図に対応付けて、前記コメントを前記表示部に表示させるように構成されている、請求項２乃至４の何れかに記載の試料分析装置。
【請求項６】
前記分析手段は、分析した試料が採取された患者を特定する患者特定情報を項目として含む分析結果情報を生成するように構成されており、
前記判定手段は、前記コメントが付与された前記第１の分析結果情報においてコメントに対応する項目が患者特定情報である場合に、前記第１の分析結果情報に含まれる患者特定情報と、前記第２の分析結果情報に含まれる患者特定情報とを比較して、２つの患者特定情報が一致するか否かを判定するように構成されており、
前記表示制御手段は、前記２つの患者特定情報が一致すると前記判定手段により判定された場合に、前記第２の分析結果情報の中の前記患者特定情報に対応付けて、前記コメントを前記表示部に表示させるように構成されている、請求項２乃至５の何れかに記載の試料分析装置。
【請求項７】
前記分析手段は、分析した試料が採取された患者の担当医師を特定する医師特定情報を項目として含む分析結果情報を生成するように構成されており、
前記判定手段は、前記コメントが付与された前記第１の分析結果情報においてコメントに対応する項目が医師特定情報である場合に、前記第１の分析結果情報に含まれる医師特定情報と、前記第２の分析結果情報に含まれる医師特定情報とを比較して、２つの医師特定情報が一致するか否かを判定するように構成されており、
前記表示制御手段は、前記２つの医師特定情報が一致すると前記判定手段により判定された場合に、前記第２の分析結果情報の中の前記医師特定情報に対応付けて、前記コメントを前記表示部に表示させるように構成されている、請求項２乃至６の何れかに記載の試料分析装置。
【請求項８】
前記入力手段は、前記表示部に第２の分析結果情報が表示される前に、第２の分析結果情報の閲覧者を特定する閲覧者特定情報の入力を受け付けるように構成されており、
前記入力手段によって受け付けられた閲覧者特定情報に基づいて、コメントの表示の許可又は禁止を決定する決定手段をさらに備え、
前記表示制御手段は、前記コメントの表示の許可が前記決定手段により決定された場合には、前記第２の分析結果情報と前記コメントとを前記表示部に表示させ、前記コメントの表示の禁止が前記決定手段により決定された場合には、前記コメントを表示させずに、前記第２の分析結果情報を前記表示部に表示させるように構成されている、請求項１乃至７の何れかに記載の試料分析装置。
【請求項９】
前記表示制御手段は、前記第２の分析結果情報に含まれる所定の情報が前記所定の条件に合致すると前記判定手段により判定された場合に、表示可能なコメントが存在することを示す指定可能な指定部を付加して、前記第２の分析結果情報を表示する第１表示制御手段を備え、
前記入力手段は、前記表示部に前記指定部が表示されている場合に、当該指定部の指定を受け付け可能に構成されており、
前記表示部に表示された前記指定部が指定されたか否かを判定する指定判定手段をさらに備え、
前記表示制御手段は、前記指定部が指定されたと前記指定判定手段により判定されたときに、前記第２の分析結果情報が表示されている前記表示部に、前記コメントを表示させる第２表示制御手段をさらに備える、請求項１乃至８の何れかに記載の試料分析装置。
【請求項１０】
前記表示部に表示された前記指定部が指定された状態において、前記指定部の指定が解除されたか否かを判定する解除判定手段をさらに備え、
前記第２表示制御手段は、前記コメントが前記表示部に表示されている場合において、前記指定部の指定が解除されたと前記解除判定手段により判定されたときに、前記コメントの表示を終了するように構成されている、請求項９に記載の試料分析装置。
【請求項１１】
試料が測定された結果に基づいて試料の分析結果を取得し、前記分析結果を含む分析結果情報を生成するステップと、
生成された分析結果情報を表示するステップと、
第１の分析結果画面が表示されたときに、当該第１の分析結果情報の少なくとも一部に付与するコメントの入力を受け付けるステップと、
入力を受け付けたコメントを記憶するステップと、
第２の分析結果情報を表示する場合に、第２の分析結果情報に含まれる所定の情報が所定の条件に合致するか否かを判定するステップと、
前記第２の分析結果情報に含まれる所定の情報が前記所定の条件に合致すると判定された場合に、前記第２の分析結果情報と記憶された前記コメントとを表示するステップと、
を備える試料の分析結果画面表示方法。
【請求項１２】
入力装置と表示装置と記憶部とを備えるコンピュータに、
試料が測定された結果に基づいて試料の分析結果を取得し、前記分析結果を含む分析結果情報を生成するステップと、
生成された分析結果情報を前記表示装置に表示させるステップと、
第１の分析結果画面が前記表示装置に表示されたときに、当該第１の分析結果情報の少なくとも一部に付与するコメントの入力を前記入力装置から受け付けるステップと、
入力を受け付けたコメントを前記記憶部に記憶させるステップと、
第２の分析結果情報を前記表示装置に表示させる場合に、第２の分析結果情報に含まれる所定の情報が所定の条件に合致するか否かを判定するステップと、
前記第２の分析結果情報に含まれる所定の情報が前記所定の条件に合致すると判定された場合に、前記第２の分析結果情報と前記記憶部に記憶された前記コメントとを前記表示装置に表示させるステップと、
を実行させる、コンピュータプログラム。
【発明の詳細な説明】
【技術分野】
【０００１】
本発明は、被験者から採取された試料の分析結果を含む分析結果情報を表示する試料分析装置及び試料の分析結果画面表示方法、並びに、コンピュータに試料の分析結果画面を表示させるコンピュータプログラムに関する。
【背景技術】
【０００２】
従来より、血液又は尿等の被験者（患者）から採取された試料を分析し、その結果得られた分析結果を表示する試料分析装置が知られている（例えば、特許文献１）。
【０００３】
特許文献１には、カセットに収納された血液検体を順次、撮像部で撮像して、検体に含まれる白血球を自動分類し、自動分類された白血球細胞の画像と、自動分類結果、赤血球の画像及び集計結果を画面に出力する白血球自動分類装置が開示されている。また、この白血球自動分類装置では、前記のようにして出力された結果をもとにオペレータが再検（レビュー）を行い、オペレータがレビューを行った後の分類の結果データ、具体的には血球種毎の分類結果、オペレータのコメントなどが出力される。
【特許文献１】特開平１１−８３７２６号公報
【発明の開示】
【発明が解決しようとする課題】
【０００４】
特許文献１に開示されている白血球自動分類装置のように、分析結果と共にオペレータの見解又は注意事項等のコメントが表示されると、その分析結果を他のオペレータが参照したときに、そのオペレータが当該見解又は注意事項等を把握することができ、有用である。しかしながら、かかるコメントは１つの分析結果に対して付与されたものであり、コメントが付与されていない他の分析結果を表示させても、そのコメントは表示されることがない。つまり、複数の分析結果に共通点があり、その共通点に係るコメントが１つの分析結果に対して付与されている場合に、他の分析結果を表示させても前記コメントは表示されない。また、目的とするコメントが付与されている分析結果を探し出すことも困難である。したがって、このような特許文献１に開示されている白血球自動分類装置は、コメントを十分に活用可能な構成であるとはいえない。
【０００５】
本発明は斯かる事情に鑑みてなされたものであり、その主たる目的は、ユーザによって入力されたコメントを従来に比して有効に活用することが可能な試料分析装置、試料の分析結果表示方法、及びコンピュータプログラムを提供することにある。
【課題を解決するための手段】
【０００６】
上述した課題を解決するために、本発明の一の態様の試料分析装置は、試料が測定された結果に基づいて試料の分析結果を取得し、前記分析結果を含む分析結果情報を生成する分析手段と、表示部と、前記分析手段によって生成された分析結果情報を前記表示部に表示させる表示制御手段と、前記表示部に第１の分析結果情報が表示されたときに、当該第１の分析結果情報の少なくとも一部に付与するコメントの入力を受け付ける入力手段と、前記入力手段によって受け付けられたコメントを記憶する記憶部と、前記表示部に第２の分析結果情報を表示させる場合に、第２の分析結果情報に含まれる所定の情報が所定の条件に合致するか否かを判定する判定手段と、を備え、前記表示制御手段は、前記第２の分析結果情報に含まれる所定の情報が前記所定の条件に合致すると前記判定手段により判定された場合に、前記第２の分析結果情報と前記記憶部に記憶された前記コメントとを前記表示部に表示させるように構成されている。
【０００７】
この態様においては、前記分析手段が、前記試料に関して複数項目に区分された情報を含む分析結果情報を生成するように構成されており、前記入力手段が、前記表示部に第１の分析結果情報が表示されたときに、項目の指定を受け付け、指定された項目に対応するコメントの入力を受け付けるように構成されており、前記判定手段が、前記第１の分析結果情報における前記コメントに対応する項目の情報と、前記第２の分析結果情報における前記項目の情報とを比較し、前記第２の分析結果情報における前記項目の情報が前記所定の条件に合致するか否かを判定するように構成されており、前記表示制御手段が、前記第２の分析結果情報における前記項目の情報が前記所定の条件に合致すると前記判定手段により判定された場合に、前記第２の分析結果情報の中の前記項目の情報に対応付けて、前記記憶部に記憶された前記コメントを前記表示部に表示させるように構成されていることが好ましい。
【０００８】
また、上記態様においては、前記記憶部が、前記分析手段によって生成された分析結果情報を記憶し、且つ、前記入力手段によって入力されたコメントと前記第１の分析結果情報における前記コメントに対応する項目の情報とを含むコメント検索用情報を記憶するように構成されており、前記判定手段が、前記記憶部に記憶された前記コメント検索用情報に含まれる前記コメントに対応する項目の情報と、前記第２の分析結果情報における前記項目の情報とを比較し、前記第２の分析結果情報における前記項目の情報が前記所定の条件に合致するか否かを判定するように構成されており、前記表示制御手段が、前記第２の分析結果情報における前記項目の情報が前記所定の条件に合致すると前記判定手段により判定された場合に、前記第２の分析結果情報の中の前記項目の情報に対応付けて、前記コメント検索用情報に含まれる前記コメントを前記表示部に表示させるように構成されていることが好ましい。
【０００９】
また、上記態様においては、前記記憶部が、前記コメント検索用情報として、コメントと、当該コメントが付与された第１の分析結果情報における前記コメントに対応する項目の情報とを、コメント毎に対応づけて記憶するように構成されており、前記判定手段が、前記記憶部に記憶された前記コメント検索用情報に含まれるコメント毎に、コメントに対応する項目の情報と、前記第２の分析結果情報における前記項目の情報とを比較し、前記第２の分析結果情報における前記項目の情報が前記所定の条件に合致するか否かを判定するように構成されており、前記表示制御手段が、前記第２の分析結果情報における前記項目の情報が前記所定の条件に合致すると前記判定手段により判定された全てのコメントを、前記第２の分析結果情報の中で前記コメントに対応する項目の情報に各別に対応づけて前記表示部に表示させるように構成されていることが好ましい。
【００１０】
また、上記態様においては、前記分析手段が、粒子を含有する試料を分析して、粒子の特徴を示す特徴パラメータ情報を取得し、前記試料中の粒子の前記特徴パラメータ情報に関する分布状態を示す粒子分布図を項目として含む前記分析結果情報を生成するように構成されており、前記判定手段が、前記コメントが付与された前記第１の分析結果情報においてコメントに対応する項目が粒子分布図である場合に、前記第１の分析結果情報に含まれる粒子分布図と、前記第２の分析結果情報に含まれる粒子分布図とを比較して、２つの粒子分布図が類似しているか否かを判定するように構成されており、前記表示制御手段が、前記２つの粒子分布図が類似すると前記判定手段により判定された場合に、前記第２の分析結果情報の中の前記粒子分布図に対応付けて、前記コメントを前記表示部に表示させるように構成されていることが好ましい。
【００１１】
また、上記態様においては、前記分析手段が、分析した試料が採取された患者を特定する患者特定情報を項目として含む分析結果情報を生成するように構成されており、前記判定手段が、前記コメントが付与された前記第１の分析結果情報においてコメントに対応する項目が患者特定情報である場合に、前記第１の分析結果情報に含まれる患者特定情報と、前記第２の分析結果情報に含まれる患者特定情報とを比較して、２つの患者特定情報が一致するか否かを判定するように構成されており、前記表示制御手段が、前記２つの患者特定情報が一致すると前記判定手段により判定された場合に、前記第２の分析結果情報の中の前記患者特定情報に対応付けて、前記コメントを前記表示部に表示させるように構成されていることが好ましい。
【００１２】
また、上記態様においては、前記分析手段が、分析した試料が採取された患者の担当医師を特定する医師特定情報を項目として含む分析結果情報を生成するように構成されており、前記判定手段が、前記コメントが付与された前記第１の分析結果情報においてコメントに対応する項目が医師特定情報である場合に、前記第１の分析結果情報に含まれる医師特定情報と、前記第２の分析結果情報に含まれる医師特定情報とを比較して、２つの医師特定情報が一致するか否かを判定するように構成されており、前記表示制御手段が、前記２つの医師特定情報が一致すると前記判定手段により判定された場合に、前記第２の分析結果情報の中の前記医師特定情報に対応付けて、前記コメントを前記表示部に表示させるように構成されていることが好ましい。
【００１３】
また、上記態様においては、前記入力手段が、前記表示部に第２の分析結果情報が表示される前に、第２の分析結果情報の閲覧者を特定する閲覧者特定情報の入力を受け付けるように構成されており、前記試料分析装置が、前記入力手段によって受け付けられた閲覧者特定情報に基づいて、コメントの表示の許可又は禁止を決定する決定手段をさらに備え、前記表示制御手段が、前記コメントの表示の許可が前記決定手段により決定された場合には、前記第２の分析結果情報と前記コメントとを前記表示部に表示させ、前記コメントの表示の禁止が前記決定手段により決定された場合には、前記コメントを表示させずに、前記第２の分析結果情報を前記表示部に表示させるように構成されていることが好ましい。
【００１４】
また、上記態様においては、前記表示制御手段が、前記第２の分析結果情報に含まれる所定の情報が前記所定の条件に合致すると前記判定手段により判定された場合に、表示可能なコメントが存在することを示す指定可能な指定部を付加して、前記第２の分析結果情報を表示する第１表示制御手段を備え、前記入力手段が、前記表示部に前記指定部が表示されている場合に、当該指定部の指定を受け付け可能に構成されており、前記試料分析装置が、前記表示部に表示された前記指定部が指定されたか否かを判定する指定判定手段をさらに備え、前記表示制御手段が、前記指定部が指定されたと前記指定判定手段により判定されたときに、前記第２の分析結果情報が表示されている前記表示部に、前記コメントを表示させる第２表示制御手段をさらに備えることが好ましい。
【００１５】
また、上記態様においては、前記試料分析装置が、前記表示部に表示された前記指定部が指定された状態において、前記指定部の指定が解除されたか否かを判定する解除判定手段をさらに備え、前記第２表示制御手段が、前記コメントが前記表示部に表示されている場合において、前記指定部の指定が解除されたと前記解除判定手段により判定されたときに、前記コメントの表示を終了するように構成されていることが好ましい。
【００１６】
本発明の一の態様の試料の分析結果画面表示方法は、試料が測定された結果に基づいて試料の分析結果を取得し、前記分析結果を含む分析結果情報を生成するステップと、生成された分析結果情報を表示するステップと、第１の分析結果画面が表示されたときに、当該第１の分析結果情報の少なくとも一部に付与するコメントの入力を受け付けるステップと、入力を受け付けたコメントを記憶するステップと、第２の分析結果情報を表示する場合に、第２の分析結果情報に含まれる所定の情報が所定の条件に合致するか否かを判定するステップと、前記第２の分析結果情報に含まれる所定の情報が前記所定の条件に合致すると判定された場合に、前記第２の分析結果情報と記憶された前記コメントとを表示するステップと、を備える。
【００１７】
本発明の一の態様のコンピュータプログラムは、入力装置と表示装置と記憶部とを備えるコンピュータに、試料が測定された結果に基づいて試料の分析結果を取得し、前記分析結果を含む分析結果情報を生成するステップと、生成された分析結果情報を前記表示装置に表示させるステップと、第１の分析結果画面が前記表示装置に表示されたときに、当該第１の分析結果情報の少なくとも一部に付与するコメントの入力を前記入力装置から受け付けるステップと、入力を受け付けたコメントを前記記憶部に記憶させるステップと、第２の分析結果情報を前記表示装置に表示させる場合に、第２の分析結果情報に含まれる所定の情報が所定の条件に合致するか否かを判定するステップと、前記第２の分析結果情報に含まれる所定の情報が前記所定の条件に合致すると判定された場合に、前記第２の分析結果情報と前記記憶部に記憶された前記コメントとを前記表示装置に表示させるステップと、を実行させるコンピュータプログラムである。
【発明の効果】
【００１８】
本発明に係る試料分析装置、試料の分析結果画面表示方法、及びコンピュータプログラムによれば、ユーザによって入力されたコメントを従来に比して有効に活用することが可能となる。
【発明を実施するための最良の形態】
【００１９】
以下、本発明の好ましい実施の形態を、図面を参照しながら説明する。
【００２０】
（実施の形態１）
本実施の形態は、尿中の有形成分を分析してスキャッタグラムを含む分析結果画面を表示する際に、過去に入力されたコメントのうち、当該分析結果と関連するコメントを表示する試料分析装置である。
【００２１】
［試料分析装置の構成］
図１は、本実施の形態に係る試料分析装置の構成の概要を示す斜視図である。図１に示すように、試料分析装置１は、試料を測定する測定ユニット２と、測定ユニット２から出力された測定データを処理し、試料の分析結果を表示する情報処理ユニット３とを備えている。測定ユニット２の前側には搬送部２１０が設けられており、この搬送部２１０によって、試料（尿）が収容された試験管２１１を複数保持するラック２１２が搬送されるようになっている。
【００２２】
＜測定ユニット２の構成＞
図２は、測定ユニットの構成を示すブロック図である。測定ユニット２には、図２に示すように、試料分配部２１と、試料調製部２２と、光学検出部２３と、光学検出部２３による出力の増幅及びフィルタ処理等を行うアナログ信号処理回路２４と、アナログ信号処理回路２４の出力をデジタル信号に変換するＡ／Ｄコンバータ２５と、デジタル信号に対して所定の波形処理を行うデジタル信号処理回路２６と、デジタル信号処理回路２６に接続されたメモリ２７と、アナログ信号処理回路２４及びデジタル信号処理回路２６に接続されたＣＰＵ２８と、ＣＰＵ２８に接続されたＬＡＮアダプタ２９と、搬送部２１０とが設けられている。情報処理ユニット３は、ＬＡＮアダプタ２９を介して測定ユニット２にＬＡＮ接続されている。また、アナログ信号処理回路２４、Ａ／Ｄコンバータ２５、デジタル信号処理回路２６及びメモリ２７は、光学検出部２３が出力する電気信号に対する信号処理回路３０を構成している。
【００２３】
試料分配部２１は、試料である尿を所定の分配量で試料調製部２２に分注するように構成されている。また、試料調製部２２は、試料分配部２１により分注された尿及び試薬により測定試料を調製し、調製された測定試料をシース液とともに後述する光学検出部２３のシースフローセル２３ｃに供給するように構成されている。
【００２４】
図３は、光学検出部２３の構成を示す模式図である。光学検出部２３は、図３に示すように、レーザ光を出射する発光部２３ａと、照射レンズユニット２３ｂと、レーザ光が照射されるシースフローセル２３ｃと、発光部２３ａから出射されるレーザ光が進む方向の延長線上に配置されている集光レンズ２３ｄ、ピンホール２３ｅ及びＰＤ（フォトダイオード）２３ｆと、発光部２３ａから出射されるレーザ光が進む方向と交差する方向に配置されている集光レンズ２３ｇ、ダイクロイックミラー２３ｈ、光学フィルタ２３ｉ、ピンホール２３ｊ及びＰＤ２３ｋと、ダイクロイックミラー２３ｈの側方に配置されているＡＰＤ（アバランシェフォトダイオード）２３ｌとを含んでいる。
【００２５】
発光部２３ａは、シースフローセル２３ｃの内部を通過する測定試料を含む試料流に対して光を出射するために設けられている。また、照射レンズユニット２３ｂは、発光部２３ａから出射された光を平行光にするために設けられている。また、ＰＤ２３ｆは、シースフローセル２３ｃから出射された前方散乱光を受光するために設けられている。
【００２６】
ダイクロイックミラー２３ｈは、シースフローセル２３ｃから出射された側方散乱光及び側方蛍光を分離するために設けられている。具体的には、ダイクロイックミラー２３ｈは、シースフローセル２３ｃから出射された側方散乱光をＰＤ２３ｋに入射させるとともに、シースフローセル２３ｃから出射された側方蛍光をＡＰＤ２３ｌに入射させるために設けられている。また、ＰＤ２３ｋは、側方散乱光を受光するために設けられている。また、ＡＰＤ２３ｌは、側方蛍光を受光するために設けられている。また、ＰＤ２３ｆ、２３ｋ及びＡＰＤ２３ｌは、それぞれ、受光した光信号を電気信号に変換する機能を有する。
【００２７】
アナログ信号処理回路２４は、図３に示すように、アンプ２４ａ、２４ｂ及び２４ｃを備えている。また、アンプ２４ａ、２４ｂ及び２４ｃは、それぞれ、ＰＤ２３ｆ及び２３ｋ並びにＡＰＤ２３ｌから出力された電気信号を増幅及び波形処理するために設けられている。
【００２８】
＜情報処理ユニット３の構成＞
図４は、情報処理ユニット３の構成を示すブロック図である。情報処理ユニット３は、コンピュータ３ａによって実現される。図４に示すように、コンピュータ３ａは、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、画像出力インタフェース３１ｉ、画像表示部３２、及び入力部３３を備えており、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、及び画像出力インタフェース３１ｉは、バス３１ｊによって接続されている。
【００２９】
ＣＰＵ３１ａは、ＲＡＭ３１ｃにロードされたコンピュータプログラムを実行することが可能である。そして、後述するような分析プログラム３４ａを当該ＣＰＵ３１ａが実行することにより、コンピュータ３ａが情報処理ユニット３として機能する。
【００３０】
ＲＯＭ３１ｂは、マスクＲＯＭ、ＰＲＯＭ、ＥＰＲＯＭ、又はＥＥＰＲＯＭ等によって構成されており、ＣＰＵ３１ａに実行されるコンピュータプログラム及びこれに用いるデータ等が記録されている。
【００３１】
ＲＡＭ３１ｃは、ＳＲＡＭまたはＤＲＡＭ等によって構成されている。ＲＡＭ３１ｃは、ハードディスク３１ｄに記録されている分析プログラム３４ａの読み出しに用いられる。また、ＣＰＵ３１ａがコンピュータプログラムを実行するときに、ＣＰＵ３１ａの作業領域として利用される。
【００３２】
ハードディスク３１ｄは、オペレーティングシステム及びアプリケーションプログラム等、ＣＰＵ３１ａに実行させるための種々のコンピュータプログラム及び当該コンピュータプログラムの実行に用いられるデータがインストールされている。後述する分析プログラム３４ａも、このハードディスク３１ｄにインストールされている。
【００３３】
読出装置３１ｅは、フレキシブルディスクドライブ、ＣＤ−ＲＯＭドライブ、またはＤＶＤ−ＲＯＭドライブ等によって構成されており、可搬型記録媒体３４に記録されたコンピュータプログラムまたはデータを読み出すことができる。また、可搬型記録媒体３４には、コンピュータを情報処理ユニット３として機能させるための分析プログラム３４ａが格納されており、コンピュータ３ａが当該可搬型記録媒体３４から分析プログラム３４ａを読み出し、当該分析プログラム３４ａをハードディスク３１ｄにインストールすることが可能である。
【００３４】
なお、前記分析プログラム３４ａは、可搬型記録媒体３４によって提供されるのみならず、電気通信回線（有線、無線を問わない）によってコンピュータ３ａと通信可能に接続された外部の機器から前記電気通信回線を通じて提供することも可能である。例えば、前記分析プログラム３４ａがインターネット上のサーバコンピュータのハードディスク内に格納されており、このサーバコンピュータにコンピュータ３ａがアクセスして、当該コンピュータプログラムをダウンロードし、これをハードディスク３１ｄにインストールすることも可能である。
【００３５】
また、ハードディスク３１ｄには、例えば米マイクロソフト社が製造販売するWindows（登録商標）等のマルチタスクオペレーティングシステムがインストールされている。以下の説明においては、本実施の形態に係る分析プログラム３４ａは当該オペレーティングシステム上で動作するものとしている。
【００３６】
入出力インタフェース３１ｆは、例えばUSB，IEEE1394，又はRS-232C等のシリアルインタフェース、SCSI，IDE，又はIEEE1284等のパラレルインタフェース、及びＤ／Ａ変換器、Ａ／Ｄ変換器等からなるアナログインタフェース等から構成されている。入出力インタフェース３１ｆには、キーボード及びマウスからなる入力部３３が接続されており、ユーザが当該入力部３３を使用することにより、コンピュータ３ａにデータを入力することが可能である。
【００３７】
通信インタフェース３１ｇは、Ethernet（登録商標）インタフェースである。通信インタフェース３１ｇはＬＡＮを介して測定ユニット２に接続されている。コンピュータ３ａは、通信インタフェース３１ｇにより、所定の通信プロトコルを使用して当該ＬＡＮに接続された測定ユニット２との間でデータの送受信が可能である。
【００３８】
画像出力インタフェース３１ｉは、ＬＣＤまたはＣＲＴ等で構成された画像表示部３２に接続されており、ＣＰＵ３１ａから与えられた画像データに応じた映像信号を画像表示部３２に出力するようになっている。画像表示部３２は、入力された映像信号にしたがって、画像（画面）を表示する。
【００３９】
［試料分析装置の動作］
以下、本実施の形態に係る試料分析装置１の動作について説明する。
【００４０】
図５Ａ〜図５Ｃは、本実施の形態に係る試料分析装置１の動作の流れを示すフローチャートである。図５Ａは、情報処理ユニット３による測定開始指示動作の流れを示すフローチャートであり、図５Ｂは、試料分析装置１の試料の分析動作における測定ユニット２による試料の測定動作の流れを示すフローチャートであり、図５Ｃは、試料分析装置１の試料の分析動作における情報処理ユニット３による測定データ解析動作の流れを示すフローチャートである。
【００４１】
まず、ユーザが試料分析装置１を起動すると、測定ユニット２及び情報処理ユニット３のそれぞれにおいて初期化処理が実行され、測定ユニット２は測定スタンバイ状態となり、情報処理ユニット３のＣＰＵ３１ａは画像表示部３２にログイン画面（図示せず）を表示させる（図５ＡのステップＳ１０１）。この状態で、ログイン画面に設けられた入力エリアにユーザＩＤ及びパスワードを入力し、ログインの指示を入力する操作が行われると、入力されたユーザＩＤ及びパスワード並びにログインの指示がＣＰＵ３１ａに与えられる。ＣＰＵ３１ａは、かかるユーザＩＤ及びパスワード並びにログインの指示データを受け付けると（図５ＡのステップＳ１０２）、これによりＣＰＵ３１ａに対する割り込み要求が発生し、ステップＳ１０３の処理が呼び出される。
【００４２】
ステップＳ１０３においては、ＣＰＵ３１ａによりユーザ認証処理が行われる。このユーザ認証処理について詳しく説明する。ハードディスク３１ｄには、ユーザ情報データベースが設けられている。図６は、ユーザ情報データベースの構造を示す模式図である。ユーザ情報データベース３５は、リレーショナルデータベースであり、ユーザＩＤ３５ａ、パスワード３５ｂ、ユーザグループ３５ｃ、ユーザの氏名３５ｄの各フィールドを備えている。各レコードは、１人のユーザに対応しており、ユーザが図示しないユーザ登録画面において、ユーザＩＤ、パスワード、ユーザグループ、氏名を入力することによりデータが新規に登録され、入力された各情報を含む新規レコードが当該ユーザ情報データベース３５に追加される。
【００４３】
ユーザＩＤは、ユーザ毎にユニークに定まる情報であり、ユーザを特定するために用いられる。パスワードは、ユーザが設定したパスワードであり、ユーザ認証に用いられる。ユーザグループには、「技師長」、「主任技師」、「技師」、「看護師」、「サービスマン」、「営業」、及び「医師」のグループが存在し、各ユーザは少なくとも１つのユーザグループに属している。かかるユーザグループ毎に、後述するコメントの閲覧権限が定められる。ユーザの氏名のフィールド３５ｄには、各ユーザの氏名が登録される。ユーザ認証処理においては、入力されたユーザＩＤ及びパスワードが、ユーザ情報データベース３５に登録されたユーザＩＤ及びパスワードに一致するかどうかを判定することにより行われる。ユーザ認証が成功した場合には（ステップＳ１０３でＹＥＳ）、ＣＰＵ３１ａは、ユーザ情報データベース３５から当該ユーザのユーザＩＤ、ユーザグループ、ユーザの氏名を読み出し、これらをＲＡＭ３１ｃに記憶し（ステップＳ１０４）、また、図示しないメイン画面を画像表示部３２に表示させる（ステップＳ１０５）。一方、ユーザ認証が失敗した場合には（ステップＳ１０３でＮＯ）、ＣＰＵ３１ａは、処理をステップＳ１０１へと戻し、再度ログイン画面を表示する。
【００４４】
次に、ＣＰＵ３１ａは、測定オーダの登録処理を実行する（ステップＳ１０６）。かかる測定オーダの登録処理では、情報処理ユニット３に、検体（試料）番号（検体ＩＤ）、当該試料が採取された患者の患者番号（患者ＩＤ）、氏名、年齢、性別、診療科、担当医師等の患者情報、及び分析項目の情報を含む測定オーダが、ネットワークを介して接続されたホストコンピュータ（図示せず）又はユーザの手入力により入力され、これらの測定オーダがＣＰＵ３１ａによってハードディスク３１ｄに記憶される。
【００４５】
メイン画面その他の画面に表示されているスタートボタンがクリックされる等、ユーザによるスタート指示の操作が行われると、ＣＰＵ３１ａが測定開始の指示を受け付け（ステップＳ１０７）、これによりＣＰＵ３１ａに対する割り込み要求が発生し、ステップＳ１０８の処理が呼び出される。
【００４６】
ステップＳ１０８においては、ＣＰＵ３１ａにより測定開始指示信号が生成され、当該信号が測定ユニット２へと送信される（ステップＳ１０８）。その後、ＣＰＵ３１ａは、この測定開始指示動作に関する処理を終了する。かかる測定開始指示が与えられることにより、図５Ｂに示す測定ユニット２の測定動作が開始される。測定開始指示信号が測定ユニット２に受信されると（図５ＢのステップＳ１３１）、測定ユニット２のＣＰＵ２８に対する割り込み要求が発生し、これによりＣＰＵ２８が搬送部２１０を制御し、試料入りの試験管２１１が立てられたサンプルラック２１２を所定の吸引位置へ移送する（ステップＳ１３２）。この吸引位置において、前記試験管２１１が回転させられ、当該試験管２１１の外周面に貼付されたＩＤラベルのバーコードが図示しないバーコードリーダにより読み取られ、これによって検体番号（検体ＩＤ）がＣＰＵ２８により取得される（ステップＳ１３３）。ＣＰＵ２８は、取得した検体番号を情報処理ユニット３へ送信する（ステップＳ１３４）。
【００４７】
上記の検体番号の通知により、図５Ｃに示す情報処理ユニット３の動作が開始される。検体番号が情報処理ユニット３により受信されると（図５ＣのステップＳ１１１）、ＣＰＵ３１ａに対する割り込み要求が発生し、ＣＰＵ３１ａは当該検体番号に対応する測定オーダをハードディスク３１ｄから検索する（ステップＳ１１２）。次に、ＣＰＵ３１ａは、検索された測定オーダに含まれる分析項目情報を測定ユニット２へ送信する（ステップＳ１１３）。
【００４８】
分析項目情報が測定ユニット２に受信されると（図５ＢのステップＳ１３５）、測定ユニット２のＣＰＵ２８に対する割り込み要求が発生し、これによりＣＰＵ２８が測定試料の調製処理を実行する（ステップＳ１３６）。この測定試料の調製処理では、ＣＰＵ２８が試料分配部２１及び試料調製部２２を制御し、尿及び試薬により測定試料が調製される。調製される測定試料は、測定項目に応じて決定される。全測定項目を測定する場合には、尿沈渣成分（赤血球、白血球、上皮細胞、円柱等）測定用の第１測定試料と、細菌測定用の第２測定試料の２種類の測定試料のそれぞれが調製される。
【００４９】
また、ＣＰＵ２８は、測定処理を実行する（ステップＳ１３７）。この測定処理では、ＣＰＵ２８が光学検出部２３を制御し、測定試料の光学測定が実行される。この測定処理では、情報処理ユニット３から受信した測定項目に対応する測定が行われ、全測定項目の場合には、第１測定試料の測定処理である第１測定処理と、第２測定試料の測定処理である第２測定処理とが実行される。具体的には、測定処理においては、光学検出部２３のシースフローセル２３ｃにシース液が送液され、その後、まず尿中有形成分（ＳＥＤ）測定用の第１測定試料が光学検出部２３に導かれ、前記シースフローセル２３ｃにおいてシース液に包まれた細い流れ（シースフロー）が形成される。そして、このようにして形成されたシースフローに発光部２３ａからレーザビームが照射される。前記レーザビームの照射により生じる尿中有形成分の前方散乱光、蛍光及び側方散乱光は、それぞれフォトダイオード２３ｆ、２３ｋ、及びＡＰＤ２３ｌにより受光されて電気信号に変換され、前方散乱光信号（ＦＳＣ）、蛍光信号（ＦＬ）及び側方散乱光信号（ＳＳＣ）として出力される。これらの出力は、プリアンプにより増幅される。このようにして第１測定処理が先に行われる。一方、第１測定処理が終了すると、引き続いて第２測定試料を用いて尿中の細菌が測定される（第２測定処理）。この場合、尿中有形成分の測定で用いた光学検出部２３により、前記第１測定処理の場合と同様に前方散乱光信号（ＦＳＣ）及び蛍光信号（ＦＬ）が出力され、且つ増幅される。増幅された前記前方散乱光信号（ＦＳＣ）、蛍光信号（ＦＬ）及び側方散乱光信号（ＳＳＣ）は、デジタル信号処理回路２６においてデジタル信号に変換された後、所定の波形処理が施され、これにより、第１測定試料の前方散乱光データ、側方散乱光データ、及び側方蛍光データ、並びに第２測定試料の前方散乱光データ、側方散乱光データ、及び側方蛍光データからなる測定データが得られる。次いで、ＣＰＵ２８は、得られた測定データを情報処理ユニット３へ送信する（ステップＳ１３８）。
【００５０】
また、ＣＰＵ２８は、未測定の試料が収容された試験管が残っていないかどうかを判定する（ステップＳ１３９）。この処理では、搬送部２１０に設けられたセンサにより、吸引位置に配置されているサンプルラックに未測定の試料の試験管が存在するか否か、また、サンプルラック中の試験管全てに対して測定が完了しており、サンプルラックが吸引位置から移送された場合には、未測定の試料が収容された試験管を保持するサンプルラックが存在するか否かが判定される。そして、未測定の試料が収容された試験管が存在する場合には（ステップＳ１３９においてＮＯ）、処理をステップＳ１３２へ戻し、未測定の試料が収容された試験管を吸引位置へ移送し、ステップＳ１３３以下の処理を再度繰り返す。一方、ステップＳ１３９において、未測定の試料が収容された試験管が残っていない場合には（ステップＳ１３９においてＹＥＳ）、ＣＰＵ２８は処理を終了する。
【００５１】
測定データが情報処理ユニット３により受信されると（図５ＣのステップＳ１１４）、ＣＰＵ３１ａに対する割り込み要求が発生し、ＣＰＵ３１ａは測定データの処理を実行する（ステップＳ１１５）。図７は、情報処理ユニット３による測定データの処理の手順を示すフローチャートである。この測定データの処理では、以下のようにして、試料中に存在する粒子の分布状態を示すスキャッタグラム及びヒストグラムが作成される。
【００５２】
情報処理ユニット３による測定データ処理では、まず、ＣＰＵ３１ａが、受信した測定データをハードディスク３１ｄに記憶する（ステップＳ１２１）。次に、ＣＰＵ３１ａは、測定データを用いて試料中の粒子の分類処理を実行する（ステップＳ１２２）。この処理は、測定データに含まれる前方散乱光データ、側方散乱光データ、及び側方蛍光データの各特徴パラメータ情報によって、試料に含まれる粒子の種類を特定するというものである。
【００５３】
上記の分類処理を具体的に説明する。尿中有形成分（ＳＥＤ）の分類は、第１測定試料の前方散乱光データ、側方散乱光データ及び蛍光データの各特徴パラメータ情報に基づいて行われる。図８Ａは、横軸を第１測定試料を測定したときに得られた蛍光強度（低感度）（ＦＬＬ）とし、縦軸をその前方散乱光強度（ＦＳＣ）とした場合のスキャッタグラムである。このスキャッタグラムにより、蛍光信号強度の大きな領域には、核を有する大きな細胞である上皮細胞（ＥＣ）と白血球（ＷＢＣ）が現れることがわかる。大半の上皮細胞は白血球より細胞が大きく、白血球より蛍光強度の大きな領域に出現するが、小型上皮細胞には白血球と出現領域がオーバラップするものもある。この両者を識別するために側方散乱光データが用いられる。図８Ｂは、横軸を第１測定試料を測定したときに得られた側方散乱光強度（ＳＳＣ）、縦軸をその前方散乱光強度（ＦＳＣ）としたときのスキャッタグラムである。このスキャッタグラムから分かるように、上皮細胞は白血球より側方散乱光強度が大きい領域に出現する。このため、側方散乱光強度により上皮細胞の識別が行われる。
【００５４】
図８Ｃは、横軸を第１測定試料を測定したときに得られた蛍光強度（高感度）（ＦＬＨ）とし、縦軸をその前方散乱光強度（ＦＳＣ）としたときのスキャッタグラムであり、蛍光強度が低い領域を表したものである。赤血球（ＲＢＣ）は核を有していないので蛍光強度の低い領域に分布する。結晶によっては赤血球の出現領域に現れることもあるので、結晶の出現を確認するため側方散乱光データが用いられる。図８Ｂに示すように、結晶は側方散乱光強度の分布中心が一定せず、大きい領域にも出現するため、図８Ｃのスキャッタグラムより赤血球との識別が行われる。
【００５５】
図８Ｄは、横軸を第１測定試料を測定したときに得られた蛍光信号の幅（蛍光幅、ＦＬＬＷ）とし、縦軸をその第２の蛍光幅（蛍光幅２、ＦＬＬＷ２）としたときのスキャッタグラムである。ＦＬＬＷは、細胞膜が染色された有形成分を捉える蛍光信号の幅を表しており、ＦＬＬＷ２は、核などのより強い蛍光信号の幅を表している。図に示すように、円柱（ＣＡＳＴ）のＦＬＬＷは大きく、内容物がある円柱（Ｐ．ＣＡＳＴ）はＦＬＬＷ２が大きい。また、内容物のない円柱（ＣＡＳＴ）はＦＬＬＷ２が低い領域に出現する。このように、内容物のある円柱及び内容物のない円柱は、蛍光幅及び蛍光幅２を用いて識別される。
【００５６】
一方、細菌の分類（識別）は、第２測定試料の前方散乱光データ及び蛍光データの各特徴パラメータ情報に基づいて行われる。  図８Ｅは、横軸を第２測定試料を測定したときに得られた蛍光強度（高感度）（Ｂ−ＦＬＨ）とし、縦軸をその前方散乱光強度（高感度）（Ｂ−ＦＳＣ）としたときのスキャッタグラムである。尿中有形成分測定では、図８Ｃのスキャッタグラムのように、細菌の出現領域は粘液糸（ＭＵＣＵＳ）、ＹＬＣ（酵母様真菌）、ＳＰＥＲＭ（精子）の出現領域とオーバラップする。しかし、細菌測定では、第２測定試料の調製に用いられる細菌測定試薬によって、粘液糸や赤血球破片などの夾雑物を収縮させるため、細菌だけが独立して出現する領域が現れ、尿中有形成分測定の場合に比べて約１０倍感度を上げて測定しているため、小型細菌も高精度に検出でき、かかる第２測定試料の前方散乱光データ及び蛍光データを使用することによって正確な細菌の識別が可能である。
【００５７】
上記のような処理が行われることにより、試料を測定することにより検出された粒子が、赤血球（ＲＢＣ）、白血球（ＷＢＣ）、上皮細胞（ＥＣ）、円柱（ＣＡＳＴ：内容物なし、Ｐ．ＣＡＳＴ：内容物あり）、細菌（ＢＡＣＴ）、結晶（Ｘ’ＴＡＬ）、粘液糸（ＭＵＣＵＳ）、酵母様真菌（ＹＬＣ）、精子（ＳＰＥＲＭ）、夾雑物（ＤＥＢＲＩＳ）等に分類される。また、上記の分類処理により、後述するスキャッタグラムの表示用のデータが生成される。
【００５８】
上述した分類処理の後、ＣＰＵ３１ａは、粒子数を計数する計数処理を実行する（ステップＳ１２３）。この処理では、上記の分類処理によって分類した粒子の種類毎に粒子数が計数される。次にＣＰＵ３１ａは、計数処理による計数結果をハードディスク３１ｄに記憶する（ステップＳ１２４）。
【００５９】
次に、ＣＰＵ３１ａは、異常判定処理を実行する（ステップＳ１２５）。この異常判定処理では、粒子の分類処理における分類異常及び計数した粒子数が正常範囲に収まっていない粒子数異常が発生したか否かを判定する。
【００６０】
次に、ＣＰＵ３１ａは、粒子分布図作成処理を実行する（ステップＳ１２６）。この処理では、測定データを用いて、スキャッタグラムの表示に用いられるデータ（以下、スキャッタグラムデータという。）及びヒストグラムの表示に用いられるデータ（以下、ヒストグラムデータという。）が作成される。当該処理で作成されるスキャッタグラムデータは、（１）横軸を第１測定試料を測定したときに得られた蛍光強度（低感度）（ＦＬＬ）とし、縦軸をその前方散乱光強度（ＦＳＣ）とするスキャッタグラム（図８Ａ参照）、（２）横軸を第１測定試料を測定したときに得られた蛍光強度（高感度）（ＦＬＨ）とし、縦軸をその前方散乱光強度（ＦＳＣ）とするスキャッタグラム（図８Ｃ参照）、（３）横軸を第１測定試料を測定したときに得られた蛍光信号の幅（蛍光幅、ＦＬＬＷ）とし、縦軸をその第２の蛍光幅（蛍光幅２、ＦＬＬＷ２）とするスキャッタグラム、（４）横軸を第２測定試料を測定したときに得られた蛍光強度（高感度）（Ｂ−ＦＬＨ）とし、縦軸をその前方散乱光強度（高感度）（Ｂ−ＦＳＣ）とするスキャッタグラムをそれぞれ描画するためのデータである。また、当該処理で作成されるヒストグラムデータは、（１）縦軸を出現頻度とし、横軸を前方散乱光強度とする赤血球のヒストグラム、（２）縦軸を出現頻度とし、横軸を前方散乱光強度とする白血球のヒストグラムをそれぞれ描画するためのデータである。これらのスキャッタグラムでは、各粒子がその種類に応じて色分け表示される（例えば、赤血球は赤、白血球は青等）ようになっている。従って、スキャッタグラムデータは、粒子毎の色の情報が含まれる。
【００６１】
次に、ＣＰＵ３１ａは、上記のような分類結果、計数結果、異常判定の結果、スキャッタグラムデータ、及びヒストグラムデータを含む分析結果と、当該試料に係る測定オーダに含まれる検体ＩＤ、患者ＩＤ、患者氏名、年齢、性別、診療科、担当医師を含む属性情報とを含む分析結果データをハードディスク３１ｄの分析結果データベース３７（図４参照）に格納する（ステップＳ１２７）。分析結果データベース３７は、リレーショナルデータベースであり、検体ＩＤ、試料分析日時、患者ＩＤ、患者氏名、年齢、性別、診療科、担当医師、分類結果、計数結果、異常判定の結果、スキャッタグラムデータ、及びヒストグラムデータの各フィールドを備えている。各レコードは、１つの試料の分析結果に対応しており、上記の処理によって分析結果が生成されたときに、新規レコードが当該分析結果データベース３７に追加される。かかる分析結果データの分析結果データベース３７への登録を行った後、ＣＰＵ３１ａは、測定データ解析動作（メインルーチン）における測定データ処理Ｓ１１５の呼出アドレスへ処理をリターンする。
【００６２】
上記の測定データ処理Ｓ１１５が終了した後、ＣＰＵ３１ａには、分析結果画面の表示の割り込み要求が発生する。かかる分析結果画面の表示要求が発生した場合には、ＣＰＵ３１ａは、まず、上記の分析結果データに基づいて、分析結果画面を生成する（ステップＳ１１６）。この処理においては、スキャッタグラムデータ及びヒストグラムデータに基づいて、当該スキャッタグラム及びヒストグラムのビットマップ形式の画像データがそれぞれ生成される。
【００６３】
次に、ＣＰＵ３１ａは、当該分析結果画面に表示すべきコメントを検索する（ステップＳ１１７）。以下に、コメント検索処理について具体的に説明する。かかるコメント検索処理においては、ハードディスク３１ｄに設けられたコメント検索用データベース３６を用いてコメントが検索される。図９は、コメント検索用データベース３６の構造を示す模式図である。コメント検索用データベース３６は、リレーショナルデータベースであり、コメントに対応する項目３６ａ、分析結果画面に表示している当該項目の情報の内容（実データ）３６ｂ、閲覧権限の設定値３６ｃ、及びコメント３６ｄの各フィールドを備えている。各レコードは、１つのコメントに対応しており、ユーザが後述するコメント入力ダイアログにおいて、コメントに対応する項目、当該項目の実データ、閲覧対象のユーザグループ、及びコメントを入力することにより、入力された各情報を含む新規レコードが当該コメント検索用データベース３６に追加される。
【００６４】
コメントに対応する項目のフィールド３６ａには、「検体ＩＤ」、「患者ＩＤ」、「担当医」、「診療科」、「参考情報」、「粒子分布図（Ｓｃａｔｔｅｒ  Ｓ１）」、「粒子分布図（Ｓｃａｔｔｅｒ  Ｓ２）」、「粒子分布図（Ｓｃａｔｔｅｒ  Ｓ３）」、「粒子分布図（Ｓｃａｔｔｅｒ  Ｂ１）」、「粒子分布図（ＲＢＣ−Ｓ＿ＦＳＣ）」、及び「粒子分布図（ＷＢＣ−Ｓ＿ＦＳＣ）」の何れか１つが登録される。このフィールド３６ａに登録されたデータにより、そのレコードのコメントが分析結果画面のどの項目に対応しているのかが特定される。
【００６５】
コメントに対応する項目の実データのフィールド３６ｂには、項目が「検体ＩＤ」、「患者ＩＤ」、「担当医」、「診療科」、又は「参考情報」の場合には、分析結果データにおけるそれらの項目の文字データが登録される。例えば、項目フィールド３６ａに「検体ＩＤ」が登録されており、その「検体ＩＤ」が「００００１」の場合には、当該フィールド３６ｂに「００００１」が登録される。また、項目フィールド３６ａに「診療科」が登録されており、その「診療科」が「泌尿器科」の場合には、当該フィールド３６ｂに「泌尿器科」が登録される。項目が粒子分布図の何れかである場合には、当該フィールド３６ｂには、その粒子分布図のビットマップ画像データが登録される。例えば、項目フィールド３６ａに「粒子分布図（Ｓｃａｔｔｅｒ  Ｓ１）」が登録されている場合は、当該フィールド３６ｂに、その「粒子分布図（Ｓｃａｔｔｅｒ  Ｓ１）」の画像データが登録される。
【００６６】
閲覧権限設定のフィールド３６ｃには、「制限なし」、「技師長」、「主任技師」、「技師」、「看護師」、「サービスマン」、「営業」、及び「医師」のうちの１又は複数が登録される。このフィールド３６ｃに登録されたデータにより、現在ログインしているユーザが属するユーザグループに対して、そのレコードのコメントの閲覧権限が与えられているか否かが判断される。例えば、「制限なし」が登録されているレコードのコメントは、どのユーザグループに属しているユーザでも閲覧することが可能である。また、閲覧権限設定に「技師長」、「主任技師」、「技師」、「看護師」、「サービスマン」、「営業」、又は「医師」が登録されているレコードのコメントは、それぞれ、ユーザグループが「技師長」、「主任技師」、「技師」、「看護師」、「サービスマン」、「営業」、又は「医師」であるユーザに対して閲覧権限が与えられている。
【００６７】
コメントフィールド３６ｄには、ユーザによって入力されたコメントの文字データが登録される。
【００６８】
図１０は、コメント検索処理の手順を示すフローチャートである。まず、ＣＰＵ３１ａは、変数ｉに１をセットし（ステップＳ１５１）、先頭からｉ番目のレコードをコメント検索用データベース３６から読み出す（ステップＳ１５２）。次にＣＰＵ３１ａは、読み出したレコードの閲覧権限の設定値と現在ログインしているユーザのユーザグループとを比較し、当該ユーザが閲覧権限を有しているか否かを判定する（ステップＳ１５３）。ユーザが閲覧権限を有していない場合には（ステップＳ１５３においてＮＯ）、ＣＰＵ３１ａは、処理をステップＳ１６１へ移す。
【００６９】
また、ステップＳ１５３において、ユーザが閲覧権限を有している場合には（ステップＳ１５３においてＹＥＳ）、ＣＰＵ３１ａは、読み出したレコードの項目が「検体ＩＤ」、「患者ＩＤ」、「担当医」、「診療科」、又は「参考情報」（実データが文字データの項目）か否かを判定する（ステップＳ１５４）。
【００７０】
ステップＳ１５４において、項目が「検体ＩＤ」、「患者ＩＤ」、「担当医」、「診療科」、又は「参考情報」である場合には（ステップＳ１５４においてＹＥＳ）、ＣＰＵ３１ａは、読み出したレコードの項目（例えば、「患者ＩＤ」）と同一の項目の情報（例えば、「０００２」）を、表示対象の分析結果データから読み出し（ステップＳ１５５）、コメント検索用データベース３６から読み出した実データ（例えば、「０００１」）と、ステップＳ１５５にて読み出した情報とを比較して、２つのデータが一致するか否かを判定する（ステップＳ１５６）。２つの実データが一致しない場合には（ステップＳ１５６においてＮＯ）、処理をステップＳ１６１へ移す。
【００７１】
また、ステップＳ１５６において、２つの実データが一致する場合には（ステップＳ１５６においてＹＥＳ）、ＣＰＵ３１ａは、コメント検索用データベース３６から読み出したレコードに含まれる項目及びコメントを表示対象コメントとしてＲＡＭ３１ｃに格納する（ステップＳ１５７）。
【００７２】
一方、ステップＳ１５４において、項目が「検体ＩＤ」、「患者ＩＤ」、「担当医」、「診療科」、又は「参考情報」でない場合、即ち、項目が「粒子分布図（Ｓｃａｔｔｅｒ  Ｓ１）」、「粒子分布図（Ｓｃａｔｔｅｒ  Ｓ２）」、「粒子分布図（Ｓｃａｔｔｅｒ  Ｓ３）」、「粒子分布図（Ｓｃａｔｔｅｒ  Ｂ１）」、「粒子分布図（ＲＢＣ−Ｓ＿ＦＳＣ）」、又は「粒子分布図（ＷＢＣ−Ｓ＿ＦＳＣ）」（実データが画像データである項目）である場合には（ステップＳ１５４においてＮＯ）、ＣＰＵ３１ａは、読み出したレコードの項目（例えば、「粒子分布図（Ｓｃａｔｔｅｒ  Ｓ１）」）と同一の項目の画像データを、ステップＳ１１６において作成されたビットマップ形式の画像データから取得し（ステップＳ１５８）、コメント検索用データベース３６から読み出した実データ（ビットマップ形式の画像データ）と、ステップＳ１５８にて取得した画像データとをパターンマッチングにより比較して、２つの画像データの類似度を算出する（ステップＳ１５９）。次にＣＰＵ３１ａは、類似度と所定値とを比較し（ステップＳ１６０）、２つの画像データの類似度が所定値未満である場合には（ステップＳ１６０においてＮＯ）、処理をステップＳ１６１へ移す。
【００７３】
また、ステップＳ１６０において、類似度が所定値以上である場合には（ステップＳ１６０においてＹＥＳ）、ＣＰＵ３１ａは、ステップＳ１５７へと処理を進め、コメント検索用データベース３６から読み出したレコードに含まれる項目及びコメントを表示対象コメントとしてＲＡＭ３１ｃに格納する。
【００７４】
ステップＳ１５７において表示対象コメントを記憶した後、ＣＰＵ３１ａは、ｉを１だけインクリメントし（ステップＳ１６１）、ｉがコメント検索用データベース３６のレコード数Ｎよりも大きいか否かを判定する（ステップＳ１６２）。ｉ≦Ｎの場合には（ステップＳ１６２においてＮＯ）、ＣＰＵ３１ａは、ステップＳ１５２へ処理を戻す。また、ステップＳ１６２において、ｉ＞Ｎの場合には、ＣＰＵ３１ａは、測定データ解析動作（メインルーチン）におけるコメント検索処理Ｓ１１７の呼出アドレスへ処理をリターンする。
【００７５】
上記のコメント検索処理Ｓ１１７が終了した後、ＣＰＵ３１ａは、ステップＳ１１６で作成した分析結果画面を画像表示部３２に表示する（ステップＳ１１８）。図１１は、分析結果画面の一例を示す模式図である。分析結果画面４には、検体属性情報表示部４１と、数値データ表示部４２と、参考情報表示部４３と、粒子分布図表示部４４とが含まれている。検体属性情報表示部４１には、検体ＩＤ、試料分析日時、患者ＩＤ、患者氏名、診療科、担当医師等の属性情報が表示される。数値データ表示部４２には、分析結果の数値データ、つまり、赤血球数、白血球数、上皮細胞数、円柱数、細菌数等の数値が表示される。参考情報表示部４３には、上述した分類異常又は粒子数異常が検出された場合に、その異常の内容が文字により表示される。また、粒子分布図表示部４４には、（１）横軸を第１測定試料を測定したときに得られた蛍光強度（高感度）（ＦＬＨ）とし、縦軸をその前方散乱光強度（ＦＳＣ）としたときのスキャッタグラム（図８Ｃのスキャッタグラム。以下、「スキャッタグラムＳ１」という。）、（２）横軸を第１測定試料を測定したときに得られた蛍光強度（低感度）（ＦＬＬ）とし、縦軸をその前方散乱光強度（ＦＳＣ）とした場合のスキャッタグラム（図８Ａのスキャッタグラム。以下、「スキャッタグラムＳ２」という。）、（３）横軸を第１測定試料を測定したときに得られた蛍光信号の幅（蛍光幅、ＦＬＬＷ）とし、縦軸をその第２の蛍光幅（蛍光幅２、ＦＬＬＷ２）としたときのスキャッタグラム（図８Ｄのスキャッタグラム。以下、「スキャッタグラムＳ３」という。）、（４）横軸を第２測定試料を測定したときに得られた蛍光強度（高感度）（Ｂ−ＦＬＨ）とし、縦軸をその前方散乱光強度（高感度）（Ｂ−ＦＳＣ）としたときのスキャッタグラム（図８Ｅのスキャッタグラム。以下、「スキャッタグラムＳ３」という。）、（５）縦軸を出現頻度とし、横軸を前方散乱光強度とする赤血球のヒストグラム（以下、「ＲＢＣヒストグラム」という。）、及び、（６）縦軸を出現頻度とし、横軸を前方散乱光強度とする白血球のヒストグラム（以下、「ＷＢＣヒストグラム」という。）の６つの粒子分布図が表示される。
【００７６】
また、上記の分析結果画面において、表示すべきコメントが存在する場合、即ち、ＲＡＭ３１ｃに項目データとコメントデータとが格納されている場合には、分析結果画面において、そのコメントの項目と同一の項目の付近にコメントアイコン４６が表示される。このコメントアイコン４６は、その表示されている箇所の項目について、コメントの表示が可能であることを示すアイコンである。後述するように、ユーザがコメントアイコン４６にマウスカーソルを合わせることにより、その項目に対応するコメントが表示される。
【００７７】
このようにコメント検索用のコメント検索用データベース３６を分析結果データベース３７と独立して設け、コメント検索用データベース３６を利用して表示すべきコメントを検索することにより、コメント検索を効率的且つ高速に行うことが可能となる。
【００７８】
この状態で、分析結果画面に表示されている終了ボタンがクリックされる等、ユーザによる分析結果画面の表示終了指示の操作が行われると、ＣＰＵ３１ａが分析結果画面の表示終了の指示を受け付け（ステップＳ１１９）、これによりＣＰＵ３１ａに対する割り込み要求が発生し、ＣＰＵ３１ａが分析結果画面の表示を終了し（ステップＳ１２０）、処理を終了する。
【００７９】
また、分析結果画面は、上記のように、試料の測定及び測定データ処理を完了した後に表示されるだけでなく、ユーザが過去の分析結果の中から表示したい分析結果を検体番号等により指定した場合にも、その分析結果に係る分析結果画面を表示することが可能である。
【００８０】
本実施の形態に係る試料分析装置１は、上記のように分析結果画面が表示されている状態において、コメントを表示することが可能である。以下、このコメント表示処理について具体的に説明する。
【００８１】
図１２は、コメント表示処理の手順を示すフローチャートである。分析結果画面が画像表示部３２に表示されている状態において、情報処理ユニット３のＣＰＵ３１ａは、コメントアイコン４６が指定されたか否かを判定する（ステップＳ１７１）。かかる指定は、ユーザが入力部３３に含まれるマウスを、マウスカーソル（ポインタ）がコメントアイコン４６と重なるように操作することにより行われる。つまり、ステップＳ１７１の判定処理は、マウスカーソルがコメントアイコン４６に重なったか否かを判定することにより行われる。そして、ＣＰＵ３１ａがコメントアイコン４６の指定を検出した場合に、ＣＰＵ３１ａに対する割り込み要求が発生し、以下のステップＳ１７２の処理が呼び出される。
【００８２】
ステップＳ１７２において、ＣＰＵ３１ａは、指定されたコメントアイコン４６に対応する項目のコメントをＲＡＭ３１ｃから読み出す（ステップＳ１７２）。そしてＣＰＵ３１ａは、当該コメントをポップアップ表示する（ステップＳ１７３）。ここで、コメントが表示された分析結果画面を説明する。図１３は、コメントがポップアップ表示された分析結果画面の一例を示す図である。図１３には、項目「患者ＩＤ」に対して付与されたコメントが表示された例を示している。この例では、分析結果画面４の中の「患者ＩＤ」、「担当医」、及び「粒子分布図（Ｓｃａｔｔｅｒ  Ｂ１）」にそれぞれコメントアイコン４６が表示されている。ユーザが項目「患者ＩＤ」の付近に表示されているコメントアイコン４６を指定すると、この患者ＩＤ「０００１」に対応するコメント４６ａ「この患者はＰＬＴが低いので注意  山田技師」が表示される。かかるコメント４６ａは、コメントアイコン４６が指定されたときに表示される四角状の吹き出しの中に表示され、かかる吹き出しは、患者ＩＤの表示位置を指示するように、即ち、吹き出しから突出する三角状の先鋭部の先端が前記表示位置に位置するように表示される。この例においては、試料分析装置１のユーザの一人であり、患者に対して詳しい知識を有している山田技師が、当該コメントを入力した場合を想定している。かかるコメントは、かかる知識を有している山田技師により過去に入力されたものである。そして、ユーザがコメントの閲覧権限を有している限りにおいて、患者ＩＤ「０００１」が一致する全ての分析結果画面で当該コメント４６ａが表示されることとなる。したがって、当該分析結果画面４が、山田技師以外のユーザがログインしている状態において表示されている場合には、個々の患者に対する詳しい知識を有していないユーザがこのような患者の具体的な情報を容易に得ることができ、ＰＬＴ（血小板）の粒子数が通常よりも少ない分析結果が表示されていても、それがその患者の傾向であり、異常ではないことを知ることができる。換言すれば、特定のユーザ（山田技師）の個々の患者に対する詳しい情報を、複数のユーザ間で容易に共有することが可能となる。
【００８３】
また、「担当医」に対するコメントとして、「迅速な結果の提出が望まれる」が付与されている場合には、担当医「○○」に対する当該コメントが表示され、このコメントを読んだユーザは、迅速に分析結果を提出する必要があることを知ることができる。「粒子分布図（Ｓｃａｔｔｅｒ  Ｂ１）」に対するコメントとして、「ブドウ球菌か？」が付与されている場合には、分析結果画面に表示されているスキャッタグラムＢ１が、コメント検索用データベース３６において当該コメントに対応して記憶されているスキャッタグラムＢ１と類似するときに、前記コメントが表示されることとなる。スキャッタグラムを観察して、その患者の病状等を把握するためには熟練を要するが、熟練者がスキャッタグラムを参照して判断した内容をコメントとして残しておくことにより、そのスキャッタグラムと類似する形態のスキャッタグラムが分析結果として得られた場合に、当該コメントが表示され、熟練者の知識を共有することが可能となる。また、知識の浅い初心者が分析結果画面を参照する場合では、かかるコメントを表示することによって、初心者の教育を行うこともできる。
【００８４】
また、このようにコメント４６ａを付加して分析結果画面４を表示することにより、ユーザはコメントと分析結果（属性情報を含む）とを同時に参照することができ、分析結果の内容とコメントの内容とを対応付けて理解及び記憶することが可能となる。
【００８５】
コメントアイコン４６からマウスカーソルが外れた（コメントアイコン４６の指定が解除された）ことをＣＰＵ３１ａが検出すると（ステップＳ１７４）、ＣＰＵ３１ａに割り込み要求が発生し、ＣＰＵ３１ａは、コメントの表示を終了し（ステップＳ１７５）、処理を終了する。
【００８６】
さらに、本実施の形態に係る試料分析装置１は、上記のように分析結果画面が表示されている状態において、コメントの入力（登録）を受け付けることが可能である。以下、このコメント登録処理について具体的に説明する。
【００８７】
図１４は、コメント登録処理の手順を示すフローチャートである。図１１に示すように、分析結果画面４には、コメント入力ダイアログを呼び出すためのコメント入力ダイアログ表示ボタン４５が設けられている。このコメント入力ダイアログ表示ボタン４５は、クリックされるとコメント入力ダイアログを表示するコマンドが実行されるようになっている。ＣＰＵ３１ａは、ユーザからコメント入力ダイアログをクリックする操作を受け付けると（ステップＳ１９１）、ＣＰＵ３１ａに対する割り込み要求が発生し、ステップＳ１９２の処理が呼び出される。
【００８８】
ステップＳ１９２において、ＣＰＵ３１ａは、画像表示部３２にコメント入力ダイアログを表示させる。図１５は、コメント入力ダイアログの一例を示す模式図である。コメント入力ダイアログ５には、コメントに対応づける項目を指定するための項目指定領域５１と、コメントの閲覧対象のユーザグループを指定するための閲覧対象指定領域５２と、コメントを入力するためのコメント入力領域５３と、コメントを入力した後、当該入力内容を確定するためのＯＫボタン５４と、コメントの入力処理をキャンセルするためのキャンセルボタン５５とが設けられている。項目指定領域５１には、６つの選択肢「検体ＩＤ」、「患者ＩＤ」、「担当医」、「診療科」、「参考情報」、「粒子分布図」が表示される。これらの選択肢「検体ＩＤ」、「患者ＩＤ」、「担当医」、「診療科」、「参考情報」、「粒子分布図」のそれぞれの左にはラジオボタン５１ａ〜５１ｆが表示される。ユーザは、ラジオボタン５１ａ〜５１ｆの何れかを選択（クリック）することにより、対応する（そのラジオボタンの右に表示されている）選択肢を選択することができる。また、選択肢「粒子分布図」の右側には、指定ボックス５１ｇが表示され、その指定ボックス５１ｇでコメントの入力対象となるスキャッタグラム又はヒストグラムを指定することが可能となっている。例えば、スキャッタグラムＢ１を指定する場合には、ユーザは、当該指定ボックス５１ｇに「Ｓｃａｔｔｅｒ  Ｂ１」と表示されるように操作する。ラジオボタン５１ｆが選択された場合には、この指定ボックス５１ｇにおいて指定されたスキャッタグラム又はヒストグラムがコメント入力対象として設定される。
【００８９】
また、閲覧対象指定領域５２には、８つの選択肢「制限なし」、「技師長」、「主任技師」、「技師」、「看護師」、「サービスマン」、「営業」、及び「医師」が表示される。上記４つの選択肢それぞれの左側に１つずつチェックボックス５２ａ〜５２ｈが表示される。これらの選択肢は複数を同時に選択することが可能である。ユーザは、チェックボックス５２ａ〜５２ｈの１又は複数を選択（クリック）することにより、そのチェックボックスに対応する選択肢を選択することができる。ここで選択されたユーザグループに対しては、下記のコメント入力領域５３で入力されたコメントの閲覧権限が付与される。
【００９０】
コメント入力領域５３には、コメントを入力するための入力ボックス５３ａが表示される。かかる入力ボックス５３ａの内部でクリック操作が行われると、カーソルが表示され、文字を入力可能となる。その状態で、ユーザは文字データとしてコメントを入力することができる。
【００９１】
上記のようなコメント入力ダイアログ５において、ユーザが項目の選択、閲覧権限の設定、及びコメントの入力を行うと、ＣＰＵ３１ａはかかる入力情報を受け付ける（ステップＳ１９３）。さらに、ユーザがＯＫボタン５４をクリックすると、ＣＰＵ３１ａに入力したコメントのコメント検索用データベース３６への登録指示が与えられる。ＣＰＵ３１ａがコメントの登録指示を受け付けると（ステップＳ１９４）、ＣＰＵ３１ａに割り込み要求が発生し、ＣＰＵ３１ａは、ステップＳ１９３で受け付けた項目、閲覧権限設定、及びコメントと、表示されている分析結果画面における前記項目に対応する情報（実データ）とをコメント検索用データベース３６へ登録する（ステップＳ１９５）。例えば、参考情報に「ユニバーサル」と表示された分析結果画面が表示されている場合に呼び出されたコメント入力ダイアログ５において、項目に「参考情報」が選択され、閲覧権限が付与されるユーザグループとして「制限なし」が選択され、コメントに「ユニバーサルとは、患者情報により左右されない共通の判定閾値のこと」と入力された場合には、コメント検索用データベース３６に、「項目」フィールド３６ａに「参考情報」を、「実データ」フィールド３６ｂに「ユニバーサル」を、「閲覧権限」フィールド３６ｃに「制限なし」を、「コメント」フィールド３６ｄに「ユニバーサルとは、患者情報により左右されない共通の判定閾値のこと」を、それぞれ有する新規レコードが登録される。
【００９２】
続いて、ＣＰＵ３１ａは、コメント入力ダイアログ５の表示を終了し（ステップＳ１９６）、処理を終了する。また、キャンセルボタン５５がクリックされると、入力された情報が破棄された上で、コメント入力ダイアログ５の表示が終了される。
【００９３】
（実施の形態２）
本実施の形態は、コメント入力ダイアログにおける「項目」の選択を自動的に行う試料分析装置である。
【００９４】
本実施の形態に係る試料分析装置では、分析結果画面において、ユーザがコメントを付与したい項目がある場合に、その項目が表示されている領域を指定する所定の操作、例えば、当該領域内で左ボタンのダブルクリック又は右ボタンのクリックを行う等することにより、コメント入力ダイアログ５が表示される。また、このコメント入力ダイアログ５は、項目指定領域５１において前記領域に対応する項目が予め指定された状態で表示される（図１５参照）。本実施の形態に係る試料分析装置の構成は、実施の形態１で説明した試料分析装置の構成と同様であるので、その説明を省略する。
【００９５】
次に、本実施の形態に係る試料分析装置のコメント登録処理における動作について説明する。図１６は、本実施の形態に係る試料分析装置のコメント登録処理の手順を示すフローチャートである。ユーザから、分析結果画面において「検体ＩＤ」、「患者ＩＤ」、「担当医」、「診療科」、「参考情報」、「粒子分布図（Ｓｃａｔｔｅｒ  Ｓ１）」、「粒子分布図（Ｓｃａｔｔｅｒ  Ｓ２）」、「粒子分布図（Ｓｃａｔｔｅｒ  Ｓ３）」、「粒子分布図（Ｓｃａｔｔｅｒ  Ｂ１）」、「粒子分布図（ＲＢＣ−Ｓ＿ＦＳＣ）」、及び「粒子分布図（ＷＢＣ−Ｓ＿ＦＳＣ）」の何れかの表示領域を指定する操作を受け付けると（ステップＳ２９１）、ＣＰＵ３１ａに対する割り込み要求が発生し、ステップＳ２９２の処理が呼び出される。
【００９６】
ステップＳ２９２において、ＣＰＵ３１ａは、画像表示部３２にコメント入力ダイアログを表示させる。このコメント入力ダイアログ５は、項目指定領域５１において、ユーザが指定した領域に対応する項目が予め選択された状態で表示される。例えば、ユーザが分析結果画面４の参考情報表示部４３（図１１参照）にマウスカーソルが位置する状態で、マウスの左ボタンをダブルクリックする動作を行うことにより、項目指定領域５１において「参考情報」のラジオボタン５１ｅが選択された状態のコメント入力ダイアログ５が表示される。このコメント入力ダイアログ５において、ユーザは、自動的に選択された項目の選択を解除することも可能であるし、他の項目に選択し直すことも可能である。また、閲覧権限の設定及びコメントの入力は、実施の形態１と同様に行われる。
【００９７】
図１６において、ステップＳ２９３〜Ｓ２９６の処理は、実施の形態１で説明したコメント登録処理のステップＳ１９３〜Ｓ１９６と同様であるので、その説明を省略する。
【００９８】
このような構成とすることにより、ユーザは、コメントを付与したい項目の情報が表示されている領域を指定する操作を行うだけで、コメント入力ダイアログの表示とコメント入力ダイアログにおける項目の指定とを同時に行うことができ、ユーザの試料分析装置の操作性が向上する。
【００９９】
（その他の実施の形態）
なお、上述した実施の形態においては、コメントに対応する項目が「検体ＩＤ」、「患者ＩＤ」、「担当医」、「診療科」、又は「参考情報」の場合には、コメント検索用データベースの当該コメントに対応する当該項目の情報の内容（実データ）と、表示対象の分析結果におけるその項目の情報である文字データとが一致する場合に、そのコメントを表示する構成について述べたが、これに限定されるものではない。上記のコメント検索用データベースに登録されている実データ（文字データ）と、表示対象の分析結果に含まれる文字データとが、一致ではなく類似している場合でも、コメントを表示する構成とすることも可能である。この場合は、比較する両データの一致している文字数が所定値以上の場合には類似していると判定することも可能であるし、一致している文字数が一定の割合以上である場合には類似していると判定することも可能である。また、予め登録された類似文字辞書データ（例えば、漢字と同じ読みの平仮名は類似しているとして登録されている等）を利用して類似しているか否かを判定する構成とすることもできる。
【０１００】
また、上述した実施の形態においては、コメントに対応する項目が「粒子分布図（Ｓｃａｔｔｅｒ  Ｓ１）」、「粒子分布図（Ｓｃａｔｔｅｒ  Ｓ２）」、「粒子分布図（Ｓｃａｔｔｅｒ  Ｓ３）」、「粒子分布図（Ｓｃａｔｔｅｒ  Ｂ１）」、「粒子分布図（ＲＢＣ−Ｓ＿ＦＳＣ）」、又は「粒子分布図（ＷＢＣ−Ｓ＿ＦＳＣ）」の場合には、コメント検索用データベースの当該コメントに対応する画像データと、表示対象の分析結果におけるその項目の情報である画像データとの類似度をパターンマッチングにより算出し、当該類似度が所定値以上の場合に、そのコメントを表示する構成について述べたが、これに限定されるものではない。粒子分布図に対して付与するコメントを登録する際に、コメント付与対象のスキャッタグラムにおける各クラスターの重心位置、スキャッタグラム上で粒子群が特定の方向に延びて出現する場合に、前記特定の方向を示すデータ、及び／又は、ヒストグラムにおけるピークの位置等の粒子分布図の特徴データを、実データとして登録し、表示対象の分析結果における粒子分布図の特徴データを抽出し、両特徴データを比較することにより類似度を算出する構成、又は、両特徴データが一致若しくは類似しているか否かを判定する構成としてもよい。
【０１０１】
また、上述した実施の形態においては、「検体ＩＤ」、「患者ＩＤ」、「担当医」、「診療科」、「参考情報」、「粒子分布図（Ｓｃａｔｔｅｒ  Ｓ１）」、「粒子分布図（Ｓｃａｔｔｅｒ  Ｓ２）」、「粒子分布図（Ｓｃａｔｔｅｒ  Ｓ３）」、「粒子分布図（Ｓｃａｔｔｅｒ  Ｂ１）」、「粒子分布図（ＲＢＣ−Ｓ＿ＦＳＣ）」、及び「粒子分布図（ＷＢＣ−Ｓ＿ＦＳＣ）」の項目から１つを選択し、その項目に対するコメントを入力する構成について述べたが、これに限定されるものではない。予め分析結果の中の特定の情報、例えば、スキャッタグラムＳ１のみをコメント入力対象として定義し、その特定の情報に対するコメントのみを登録及び表示することが可能な構成としてもよい。
【０１０２】
また、上述した実施の形態においては、コメント検索用のコメント検索用データベースをハードディスク内に記憶しておき、そのコメント検索用データベースを用いて、表示すべきコメントを検索する構成について述べたが、これに限定されるものではない。分析結果データベースに、コメント、コメントに対応する項目のフィールドをさらに設け、分析結果画面を表示している際にコメントが入力されたときには、その分析結果データのレコードに当該コメント及び項目を追加する構成としてもよい。この場合には、分析結果データベースの項目及びその項目に対応する実データを利用して、表示すべきコメントを検索する。また、かかる場合において、分析結果データベースには、コメント及び項目のフィールドをそれぞれ複数設けることも可能である。このようにすることで、１つの分析結果に対応させて複数のコメントを登録することが可能となる。
【０１０３】
また、上述した実施の形態においては、コメントに対応する項目が「検体ＩＤ」、「患者ＩＤ」、「担当医」、「診療科」、又は「参考情報」の場合には、コメント検索用データベースの当該コメントに対応する当該項目の情報の内容（実データ）と、表示対象の分析結果におけるその項目の情報である文字データとが一致する場合に、そのコメントを表示し、コメントに対応する項目が「粒子分布図（Ｓｃａｔｔｅｒ  Ｓ１）」、「粒子分布図（Ｓｃａｔｔｅｒ  Ｓ２）」、「粒子分布図（Ｓｃａｔｔｅｒ  Ｓ３）」、「粒子分布図（Ｓｃａｔｔｅｒ  Ｂ１）」、「粒子分布図（ＲＢＣ−Ｓ＿ＦＳＣ）」、又は「粒子分布図（ＷＢＣ−Ｓ＿ＦＳＣ）」の場合には、コメント検索用データベースの当該コメントに対応する画像データと、表示対象の分析結果におけるその項目の情報である画像データとの類似度をパターンマッチングにより算出し、当該類似度が所定値以上の場合に、そのコメントを表示する構成について述べたが、これに限定されるものではない。表示対象の分析結果情報に含まれる所定の情報が所定の条件を満たす場合に、コメントを表示する構成であればよい。例えば、分析結果データベースにおいて、項目の情報(実データ)を分類した区分の情報を項目毎に記憶しておき、表示対象の分析結果における項目の情報の区分が、コメントに対応する項目の情報の区分と一致する場合に、このコメントを表示する構成としてもよい。具体的には、コメントが付与された分析結果の患者ＩＤの区分として「４０歳台男性」が与えられている場合に、前記コメントが付与された患者ＩＤの区分「４０歳台男性」と一致する区分の患者ＩＤを有する分析結果情報を表示する際に、前記コメントを表示する構成としてもよい。また、分析結果情報に項目の情報を補足する情報が含まれており、表示対象の分析結果における項目の情報を補足する情報が、コメントに対応する項目の情報の補足情報と一致する場合に、このコメントを表示する構成とすることもできる。具体的には、分画異常等のスキャッタグラムの異常情報が含まれる分析結果の前記スキャッタグラムに対してコメントが付与されている場合において、表示対象の分析結果に同一の異常情報が含まれているときに、前記コメントを前記表示対象の分析結果に含まれるスキャッタグラムに対応させて表示する構成としてもよい。
【０１０４】
また、上述した実施の形態においては、ユーザグループ毎に閲覧権限を設定する構成について述べたが、これに限定されるものではない。ユーザグループ毎に閲覧権限を設定するのではなく、ユーザ毎に閲覧権限を設定する構成としてもよい。つまり、特定の医師又は特定の技師長等の個々のユーザ毎に閲覧権限を与えたり、与えないように設定する構成としてもよい。
【０１０５】
また、上述した実施の形態においては、コメントアイコンにマウスカーソルが重なったときに、コメントを表示する構成について述べたが、これに限定されるものではない。コメントアイコンの近傍を含む領域内にマウスカーソルが入ったか否かをＣＰＵが判別し、前記領域内にマウスカーソルが入ることによって、当該領域に対応する項目が指定を受け付ける構成としてもよい。
【０１０６】
また、上述した実施の形態においては、分析結果画面において、コメントが付与された項目の付近にコメントアイコンを表示し、そのコメントアイコンが指定されたときに、当該項目に対応するコメントをポップアップ表示する構成について述べたが、これに限定されるものではない。コメントアイコンを表示することなく、分析結果画面の表示開始と同時にコメントも表示させる構成とすることもできる。この場合は、分析結果画面と独立してコメントの表示を終了させることが可能であるように構成することが好ましい。これにより、分析結果の一部がコメントによって隠れている場合に、当該コメントの表示を終了することで、隠れている分析結果を表示させることができる。また、コメントを分析結果と重ならないように表示することも可能である。
【０１０７】
また、上述した実施の形態においては、分析結果画面において、コメントが付与された項目の付近にコメントアイコンを表示する構成について述べたが、これに限定されるものではない。アイコンではなく、コメントにリンクされたボタン又は文字列（テキストデータ）を表示し、当該ボタン又は文字列をマウスでクリック操作する等して選択することで、コメントをポップアップ表示する構成とすることも可能である。
【０１０８】
また、上述した実施の形態においては、分析結果画面に表示されたコメントアイコンが指定されたときに、コメントをポップアップ表示する構成について述べたが、これに限定されるものではない。コメントアイコンが指定されたときに、コメントをポップアップ表示させる代わりに、コメントが表示されたウインドウを、分析結果画面が表示されたウインドウとは別に表示させる構成とすることもできる。
【０１０９】
また、上述した実施の形態においては、別個に設けられた測定ユニットと情報処理ユニットによって試料分析装置が構成される場合について述べたが、これに限定されるものではなく、測定ユニットの機能と情報処理ユニットの機能とを一体で備えた試料分析装置としてもよい。
【０１１０】
また、上述した実施の形態においては、単一のコンピュータ３ａにより分析プログラム３４ａの全ての処理を実行する構成について述べたが、これに限定されるものではなく、上述した分析プログラム３４ａと同様の処理を、複数の装置（コンピュータ）により分散して実行する分散システムとすることも可能である。
【産業上の利用可能性】
【０１１１】
本発明の試料分析装置、試料の分析結果表示方法、及びコンピュータプログラムは、被験者から採取された試料の分析結果を含む分析結果画面を表示する試料分析装置及び試料の分析結果画面表示方法、並びに、コンピュータに試料の分析結果画面を表示させるコンピュータプログラムとして有用である。
【図面の簡単な説明】
【０１１２】
【図１】実施の形態に係る試料分析装置の構成の概要を示す斜視図。
【図２】測定ユニットの構成を示すブロック図。
【図３】光学検出部の構成を示す模式図。
【図４】情報処理ユニットの構成を示すブロック図。
【図５Ａ】情報処理ユニットによる測定開始指示動作の流れを示すフローチャート。
【図５Ｂ】試料分析装置の試料の分析動作における測定ユニットによる試料の測定動作の流れを示すフローチャート。
【図５Ｃ】試料分析装置の試料の分析動作における情報処理ユニットによる測定データ解析動作の流れを示すフローチャート。
【図６】ユーザ情報データベースの構造を示す模式図。
【図７】情報処理ユニットによる測定データの処理の手順を示すフローチャート。
【図８Ａ】横軸を第１測定試料を測定したときに得られた蛍光強度（低感度）（ＦＬＬ）とし、縦軸をその前方散乱光強度（ＦＳＣ）とした場合のスキャッタグラム。
【図８Ｂ】横軸を第１測定試料を測定したときに得られた側方散乱光強度（ＳＳＣ）、縦軸をその前方散乱光強度（ＦＳＣ）としたときのスキャッタグラム。
【図８Ｃ】横軸を第１測定試料を測定したときに得られた蛍光強度（高感度）（ＦＬＨ）とし、縦軸をその前方散乱光強度（ＦＳＣ）としたときのスキャッタグラム。
【図８Ｄ】横軸を第１測定試料を測定したときに得られた蛍光信号の幅（蛍光幅、ＦＬＬＷ）とし、縦軸をその第２の蛍光幅（蛍光幅２、ＦＬＬＷ２）としたときのスキャッタグラム。
【図８Ｅ】横軸を第２測定試料を測定したときに得られた蛍光強度（高感度）（Ｂ−ＦＬＨ）とし、縦軸をその前方散乱光強度（高感度）（Ｂ−ＦＳＣ）としたときのスキャッタグラム。
【図９】コメント検索用データベースの構造を示す模式図。
【図１０】コメント検索処理の手順を示すフローチャート。
【図１１】分析結果画面の一例を示す模式図。
【図１２】コメント表示処理の手順を示すフローチャート。
【図１３】コメントがポップアップ表示された分析結果画面の一例を示す図。
【図１４】実施の形態１に係る試料分析装置のコメント登録処理の手順を示すフローチャート。
【図１５】コメント入力ダイアログの一例を示す模式図。
【図１６】実施の形態２に係る試料分析装置のコメント登録処理の手順を示すフローチャート。
【符号の説明】
【０１１３】
１      試料分析装置
２      測定ユニット
３０      信号処理回路
３      情報処理ユニット
３ａ      コンピュータ
３１ａ      ＣＰＵ
３１ｃ      ＲＡＭ
３１ｄ      ハードディスク
３１ｅ      読出装置
３１ｆ      入出力インタフェース
３１ｉ      画像出力インタフェース
３２      画像表示部
３３      入力部
３４      可搬型記録媒体
３４ａ      分析プログラム
３５      ユーザ情報データベース
３６      コメント検索用データベース
３６ａ      項目フィールド
３６ｂ      実データフィールド
３６ｃ      閲覧権限設定フィールド
３６ｄ      コメントフィールド
３７      分析結果データベース
４      分析結果画面
４１      検体属性情報表示部
４４      粒子分布図表示部
４５      コメント入力ダイアログ表示ボタン
４６      コメントアイコン
４６ａ      コメント
５      コメント入力ダイアログ
Ｓ１〜Ｓ３，Ｂ１      スキャッタグラム
【図１】
2010038893.tif 000003
【図２】
2010038893.tif 000004
【図３】
2010038893.tif 000005
【図４】
2010038893.tif 000006
【図５Ａ】
2010038893.tif 000007
【図５Ｂ】
2010038893.tif 000008
【図５Ｃ】
2010038893.tif 000009
【図６】
2010038893.tif 000010
【図７】
2010038893.tif 000011
【図８Ａ】
2010038893.tif 000012
【図８Ｂ】
2010038893.tif 000013
【図８Ｃ】
2010038893.tif 000014
【図８Ｄ】
2010038893.tif 000015
【図８Ｅ】
2010038893.tif 000016
【図９】
2010038893.tif 000017
【図１０】
2010038893.tif 000018
【図１２】
2010038893.tif 000019
【図１４】
2010038893.tif 000020
【図１５】
2010038893.tif 000021
【図１６】
2010038893.tif 000022
【図１１】
2010038893.tif 000023
【図１３】
2010038893.tif 000024